(57)【要約】【課題】本発明の目的は、使用前は折畳んで小型化ができ、使用時には複数個の食品を均一な厚さに仕上げることができ、かつ、折線で変形せずに各食品に発熱体を均一に接触させることができる電子レンジ加熱調理用容器及びそのブランクシートを提供することである。【解決手段】本発明に係る電子レンジ加熱調理用容器１は、本体底面部１１及び蓋体の食品収容部１３側の各表面に発熱体４１，４２を配置した電子レンジ加熱調理用容器において、蓋体２０が、折畳み用折線２４を設けた１枚のブランクシート１２０を組み立てて形成され、ブランクシートは、天面部２１と、天面部の周辺に連接する蓋側面部２２と、蓋側面部と天面部との境界にそれぞれ設けた天面部側に凸の切込部１２５とを有し、切込部の凸深さはすべて同じであり、蓋体を組み立てるときに、蓋側面部を食品収容部１３側とは反対側に起こすとともに、切込部が食品収容部側に突出して蓋脚片２５を形成する。【選択図】図１
2014200481.tif 000002
【特許請求の範囲】
【請求項１】
本体底面部及び該本体底面部の周辺から立設する本体側面部で形成した食品収容部を有する容器本体と、
前記食品収容部を覆う蓋体とを備え、
少なくとも前記本体底面部及び前記蓋体の前記食品収容部側の各表面に、マイクロ波の照射によって発熱する発熱体を配置した電子レンジ加熱調理用容器において、
前記蓋体が、折畳み用折線を設けた１枚のブランクシートを組み立てて形成され、
該ブランクシートは、天面部と、該天面部の対向する周辺のうち少なくとも前記折畳み用折線が交差する２つの辺に連接する蓋側面部と、該２つの蓋側面部と前記天面部との境界にそれぞれ設けた該天面部側に凸の切込部とを有し、該切込部の凸深さはすべて同じであり、
前記蓋体を組み立てるときに、前記蓋側面部を前記食品収容部側とは反対側に起こすとともに、前記切込部が前記食品収容部側に突出して蓋脚片を形成することを特徴とする電子レンジ加熱調理用容器。
【請求項２】
前記蓋側面部を残りの対向するすべての周辺に更に設け、
前記蓋脚片を前記蓋側面部と前記天面部との境界にそれぞれ２個以上設けたことを特徴とする請求項１に記載の電子レンジ加熱調理用容器。
【請求項３】
前記容器本体が、前記本体側面部と前記本体底面部との境界に設けた該本体底面部側に凸の切込部を切り起こして形成した本体脚片を有し、
該本体脚片が、前記各境界にそれぞれ２個以上あることを特徴とする請求項１又は２に記載の電子レンジ加熱調理用容器。
【請求項４】
前記蓋脚片の高さが、８ｍｍ以上であることを特徴とする請求項１〜３のいずれか一つに記載の電子レンジ加熱調理用容器。
【請求項５】
前記発熱体が、少なくともプラスチックフィルム層と、金属蒸着層と、剥離紙層とを順に有する多層構造を備え、
前記剥離紙層を前記食品収容部側に向けて配置することを特徴とする請求項１〜４のいずれか一つに記載の電子レンジ加熱調理用容器。
【請求項６】
前記本体側面部の相互に対向する上端辺が、係止部を有することを特徴とする請求項１〜５のいずれか一つに記載の電子レンジ加熱調理用容器。
【請求項７】
請求項１〜６のいずれか一つに記載の電子レンジ加熱調理用容器を形成するためのブランクシートであって、
容器本体を形成するためのブランクシートは、１枚のシートからなり、本体底面部と、該本体底面部の周辺に連接する本体側面部と、隣り合う該本体側面部同士を係合する係合手段と、を有し、
蓋体を形成するためのブランクシートは、折畳み用折線を設けた１枚のシートからなり、天面部と、該天面部の対向する周辺のうち少なくとも前記折畳み用折線が交差する２つの辺に連接する蓋側面部と、該２つの蓋側面部と前記天面部との境界にそれぞれ設けた該天面部側に凸の切込部とを有し、該切込部の凸深さはすべて同じであることを特徴とするブランクシート。
【発明の詳細な説明】
【技術分野】
【０００１】
本発明は、電子レンジ加熱調理用容器及びそのブランクシートに関する。
【背景技術】
【０００２】
従来、電子レンジを用いて、食品を加熱調理するための容器が各種提案されている。容器本体の底部と蓋のそれぞれの内面にマイクロ波の照射によって発熱する発熱体を設けた紙製の容器であって、発熱体が食品に接触した状態で電子レンジ加熱することで、食品の上下両面に焦げ目をつけることができる機能を有する容器が開示されている（例えば、特許文献１を参照。）。また、マイクロ波エネルギーの照射によって食品に焦げ目をつけることができるマイクロ波相互作用素材を備えるトレイとフレキシブルカバーで食品を挟み、マイクロ波相互作用素材が食品に接触した状態で電子レンジ加熱することで、食品の上下両面に焦げ目をつけることができるパッケージが開示されている（例えば、特許文献２を参照。）。
【先行技術文献】
【特許文献】
【０００３】
【特許文献１】特開２０１１−２３０７９１号公報
【特許文献２】特表２００９−５３７４１６号公報
【発明の概要】
【発明が解決しようとする課題】
【０００４】
電子レンジ加熱調理用容器は、使用前は折畳んで小型化することが望まれる。特許文献１には、容器本体と蓋体とを別体とし、底部と側面との間の罫線及び側面と折込片との間の罫線を折ることで、容器本体を折畳める構造が開示されている。しかし、この折畳み構造は最小で底部の大きさであり、更なる小型化が望まれる。また、特許文献２には、小型化を目的とするものではなく、フレキシブルカバーと称する蓋体を食品の形状に一致させることを目的とするものであるが、蓋体に折り線を形成する構造が開示されている。しかし、折り線を形成する構造を小型化の手段として適用して蓋体に折り線を設けただけでは、焼き菓子や焼鳥などのように複数個の食品を容器内に並べて配置して同時に加熱調理する場合、蓋体が折り目に沿って折れ曲がると、各食品に発熱体を均一に接触させることができなくなる。また、特に焼き菓子では、各食品を均一な厚さに仕上げることができない。
【０００５】
本発明の目的は、使用前は折畳んで小型化ができ、使用時には複数個の食品を均一な厚さに仕上げることができ、かつ、折線で変形せずに各食品に発熱体を均一に接触させることができる電子レンジ加熱調理用容器及びそのブランクシートを提供することである。
【課題を解決するための手段】
【０００６】
本発明に係る電子レンジ加熱調理用容器は、本体底面部及び該本体底面部の周辺から立設する本体側面部で形成した食品収容部を有する容器本体と、前記食品収容部を覆う蓋体とを備え、少なくとも前記本体底面部及び前記蓋体の前記食品収容部側の各表面に、マイクロ波の照射によって発熱する発熱体を配置した電子レンジ加熱調理用容器において、前記蓋体が、折畳み用折線を設けた１枚のブランクシートを組み立てて形成され、該ブランクシートは、天面部と、該天面部の対向する周辺のうち少なくとも前記折畳み用折線が交差する２つの辺に連接する蓋側面部と、該２つの蓋側面部と前記天面部との境界にそれぞれ設けた該天面部側に凸の切込部とを有し、該切込部の凸深さはすべて同じであり、前記蓋体を組み立てるときに、前記蓋側面部を前記食品収容部側とは反対側に起こすとともに、前記切込部が前記食品収容部側に突出して蓋脚片を形成することを特徴とする。
【０００７】
本発明に係る電子レンジ加熱調理用容器は、前記蓋側面部を残りの対向するすべての周辺に更に設け、前記蓋脚片を前記蓋側面部と前記天面部との境界にそれぞれ２個以上設けることが好ましい。蓋体の熱による変形を防止することができる。
【０００８】
本発明に係る電子レンジ加熱調理用容器では、前記容器本体が、前記本体側面部と前記本体底面部との境界に設けた該本体底面部側に凸の切込部を切り起こして形成した本体脚片を有し、該本体脚片が、前記各境界にそれぞれ２個以上あることが好ましい。容器本体の熱のよる変形を防止することができる。
【０００９】
本発明に係る電子レンジ加熱調理用容器では、前記蓋脚片の高さが、８ｍｍ以上であることが好ましい。発熱体同士の接触による過加熱によって、発熱体の焦げや発火を防止することができる。
【００１０】
本発明に係る電子レンジ加熱調理用容器では、前記発熱体が、少なくともプラスチックフィルム層と、金属蒸着層と、剥離紙層とを順に有する多層構造を備え、前記剥離紙層を前記食品収容部側に向けて配置することが好ましい。食品の発熱体への焦げ付きを防止することができる。
【００１１】
本発明に係る電子レンジ加熱調理用容器では、前記本体側面部の相互に対向する上端辺が、係止部を有することが好ましい。串刺しした食品を所定の間隔で配置することができる。
【００１２】
本発明に係るブランクシートは、本発明に係る電子レンジ加熱調理用容器を形成するためのブランクシートであって、容器本体を形成するためのブランクシートは、１枚のシートからなり、本体底面部と、該本体底面部の周辺に連接する本体側面部と、隣り合う該本体側面部同士を係合する係合手段と、を有し、蓋体を形成するためのブランクシートは、折畳み用折線を設けた１枚のシートからなり、天面部と、該天面部の対向する周辺のうち少なくとも前記折畳み用折線が交差する２つの辺に連接する蓋側面部と、該２つの蓋側面部と前記天面部との境界にそれぞれ設けた該天面部側に凸の切込部とを有し、該切込部の凸深さはすべて同じであることを特徴とする。
【発明の効果】
【００１３】
本発明は、使用前は折畳んで小型化ができ、使用時には複数個の食品を均一な厚さに仕上げることができ、かつ、折線で変形せずに各食品に発熱体を均一に接触させることができる電子レンジ加熱調理用容器及びそのブランクシートを提供することができる。
【図面の簡単な説明】
【００１４】
【図１】本実施形態に係る電子レンジ加熱調理用容器の一例を示す分解図である。
【図２】図１に示す容器の容器本体に蓋体を被せた状態を示す斜視図である。
【図３】図２のＸ−Ｘ破断面図である。
【図４】蓋体を形成するためのブランクシートの一例を示す展開図であって、蓋体の食品収容部側の表面が上を向いた状態を示す。
【図５】本実施形態に係る電子レンジ加熱調理用容器の使用状態の別の例を示す図である。
【図６】容器本体を形成するためのブランクシートの一例を示す展開図であって、蓋体の食品収容部側の表面が上を向いた状態を示す。
【図７】発熱体の層構成の一例を示す断面図である。
【発明を実施するための形態】
【００１５】
次に、本発明について実施形態を示して詳細に説明するが本発明はこれらの記載に限定して解釈されない。本発明の効果を奏する限り、実施形態は種々の変形をしてもよい。
【００１６】
図１は、本実施形態に係る電子レンジ加熱調理用容器の一例を示す分解図である。図２は、図１に示す容器の容器本体に蓋体を被せた状態を示す斜視図である。図３は、図２のＸ−Ｘ破断面図である。図４は、蓋体を形成するためのブランクシートの一例を示す展開図であって、蓋体の食品収容部側の表面が上を向いた状態を示す。本実施形態に係る電子レンジ加熱調理用容器１は、図１、図２又は図３に示すように、本体底面部１１及び本体底面部１１の周辺から立設する本体側面部１２で形成した食品収容部１３を有する容器本体１０と、食品収容部１３に配置した食品３０（図１では焼き菓子の生地）を覆う蓋体２０とを備え、少なくとも本体底面部１１及び蓋体２０の食品収容部１３側の各表面に、マイクロ波の照射によって発熱する発熱体４１，４２を配置した電子レンジ加熱調理用容器において、蓋体２０が、図４に示すような、折畳み用折線２４を設けた１枚のブランクシート１２０を組み立てて形成され、ブランクシート１２０は、天面部２１と、天面部２１の対向する周辺のうち少なくとも折畳み用折線２４が交差する２つの辺２１ｈに連接する蓋側面部２２（２２Ｈ）と、２つの蓋側面部２２（２２Ｈ）と天面部２１との境界にそれぞれ設けた天面部２１側に凸の切込部１２５とを有し、切込部１２５の凸深さはすべて同じであり、蓋体２０を組み立てるときに、図１に示すように蓋側面部２２を食品収容部１３側とは反対側に起こすとともに、切込部１２５が食品収容部１３側に突出して蓋脚片２５を形成する。
【００１７】
容器本体１０は、図１に示すように、トレー状である。容器本体１０の材質は、例えば、紙である。
【００１８】
容器本体１０の内部空間は、食品収容部１３となる。調理する食品３０は、特に制限はなく、例えば、図１に示すクッキー、ラスク若しくはスコーンなどの焼き菓子の生地、焼鳥などの肉、お好み焼き又はチヂミである。
【００１９】
本体底面部１１の食品収容部１３側の表面には、発熱体４１が配置される。発熱体４１は、本体底面部１１の食品収容部１３側の表面の一部に設けるか、又は全面に設けてもよい。発熱体４１を一部に設ける形態は、例えば、図１に示すように、発熱体４１を本体底面部１１の外周縁部を除く中央部だけに設ける形態である。本体底面部１１の形状は、図１では正方形としたが、これに限定されず、例えば、長方形であってもよい。
【００２０】
隣り合う本体側面部１２は、例えば係合手段１７として係合片１７ａを打抜孔１７ｂに係合することによって固定されており、トレー形状が保持されている。相互に対向する本体側面部１２（１２Ｈ）の上端辺１２ａは係止部１６を有することが好ましい。図５は、本実施形態に係る電子レンジ加熱調理用容器の使用状態の別の例を示す図である。係止部１６は、図５に示すように調理する食品が焼鳥などの串３１ａに刺した状態の食品３１であるとき、串３１ａを係止する部分である。串３１ａを係止部１６に係止することで、食品３１を所定の位置に固定して加熱調理することができる。係止部１６は、図５に示すように、上端辺１２ａを上側に凸の円弧を上端辺１２ａに沿って複数個連ねて、隣接する円弧同士の交点部分であることが好ましい。このような形状とすることで、装飾性も兼ね備えることができる。係止部１６の変形形態（不図示）としては、例えば、上端辺を概ね直線形状とし、係止部として切欠き又は凹部を設ける形態である。
【００２１】
容器本体１０は、本体脚片１５を有することが好ましい。本体脚片１５は、図６に示すように、本体側面部１２と本体底面部１１との境界に設けた本体底面部側に凸の切込部１１５を、図１〜図３に示すように切り起こして形成する。本体脚片１５は、食品収容部１３とは反対側に突出する。本体脚片１５は、各境界にそれぞれ２個以上あることが好ましい。本体側面部１２と本体底面部１１との境界には、例えば、折罫線が設けられている。本体脚片１５を各境界にそれぞれ２個以上設けることで、容器本体１０の熱変形を防止することができる。本体脚片１５の個数は、図１〜図３では各境界に２個ずつである形態を示したが、本発明はこれに限定されない。
【００２２】
本体脚片１５の高さは、すべて同じであることが好ましい。本体脚片１５の高さは、２ｍｍ以上８ｍｍ以下であることが好ましく、２ｍｍ以上５ｍｍ以下であることがより好ましい。２ｍｍ未満では、容器本体１０の剛性が高まらず、熱変形の防止効果が不足する場合がある。また、電子レンジ庫内の底面と本体底面部が接触することで、発熱体の熱量が熱伝導により奪われる場合がある。８ｍｍを超えると、本体底面部１１の面積が小さくなり、一度に調理できる食品の数が少なくなる場合がある。また、本体脚片１５の強度が不足する場合がある。
【００２３】
蓋体２０の材質は、例えば、紙である。また、蓋体２０は、図１に示すように容器本体１０と別体であるか、又は一体であってもよい。
【００２４】
蓋体２０は、天面部２１と、天面部２１の対向する周辺のうち少なくとも折畳み用折線２４が交差する２つの辺２１ｈに連接する蓋側面部２２（２２Ｈ）と、蓋側面部２２（２２Ｈ）と天面部２１との境界に設けた天面部２１側に凸の切込部１２５を切り起こして形成した蓋脚片２５を有する。
【００２５】
天面部２１の食品収容部１３側の表面には、発熱体４２が配置される。発熱体４２は、本体底面部１１に設けた発熱体４１に対向する位置に設けることが好ましく、図１では本体底面部１１に設けた発熱体４１に合わせて天面部２１の外周縁部を除く中央部に設けた。天面部２１の形状は、特に制限はないが、本体底面部１１と合同又は本体底面部１１よりも小さい相似形であることが好ましく、図１では本体底面部１１と合同の正方形とした。
【００２６】
蓋側面部２２は、図１に示すように天面部２１のすべての周辺に設け、隣り合う蓋側面部２２を、例えば係合手段２７として係合片２７ａを打抜孔２７ｂに係合することによって固定することが好ましい。蓋体２０がトレー形状を保持することができ、取扱い性が向上する。
【００２７】
蓋脚片２５は、図１に示すように、蓋側面部２２と天面部２１とのすべての境界にそれぞれ２個以上設けることが好ましい。蓋側面部２２と天面部２１との境界には、例えば、折罫線が設けられている。蓋脚片２５を各境界にそれぞれ２個以上設けることで、蓋体２０の剛性が高まるため、蓋体２０の熱変形を防止することができる。蓋脚片２５の個数は、図１〜図３では各境界に２個ずつである形態を示したが、本発明はこれに限定されない。
【００２８】
切込部１２５の凸深さをすべて同じとすることで、蓋脚片２５の高さをすべて同じ高さとすることができる。蓋脚片２５の高さは５ｍｍ以上であることが好ましく、８ｍｍ以上であることがより好ましい。５ｍｍ未満では発熱体４１，４２同士の接触による過加熱によって、発熱体４１，４２が焦げる場合や、発火する場合がある。蓋脚片２５の高さは、２５ｍｍ以下であることが好ましく、１０ｍｍ以下であることがより好ましい。２５ｍｍを超えると、食品３０の上面に焦げ目をつけることができない場合がある。
【００２９】
図６は、容器本体を形成するためのブランクシートの一例を示す展開図であって、蓋体の食品収容部側の表面が上を向いた状態を示す。容器本体１０は、図６に示すような１枚のブランクシート１１０を組み立てて形成することが好ましい。容器本体を形成するためのブランクシート１１０は、本体底面部１１と、本体底面部１１の周辺に連接する本体側面部１２と、隣り合う本体側面部１２同士を係合する係合手段１７とを有する。
【００３０】
係合手段１７は、例えば、図６に示すように、対向する一対の本体側面部１２（１２Ｌ）に折罫線を介して連接した係合片１７ａと、残りの対向する一対の本体側面部１２（１２Ｈ）に形成した係合片１７ａを係合する打抜孔１７ｂとを有する。係合手段１７は、本体側面部１２を折罫線に沿って立ち上げて、係合片１７ａを打抜孔１７ｂに係合することで、図１に示すように、本体側面部１２が本体底面部１１から立設した状態を保持することができる。係合手段１７は、図６の形態に限定されない。係合手段１７の変形形態としては、例えば、打抜孔１７ｂに替えて、係合片１７ａを差し込んで係合可能な切込みを設ける形態である。
【００３１】
容器本体用のブランクシート１１０は、折畳み用折線１４を有することが好ましい。折畳み用折線１４は、少なくとも対向する一対の本体側面部１２（１２Ｈ）及び本体底面部１１を横断して設けることが好ましい。図１に示すように、本体側面部１２（１２Ｈ）を本体底面部１１から起こすと、折畳み用折線１４が本体底面部１１と本体側面部１２（１２Ｈ）との境界部分で折れ曲がる。その結果、折畳み用折線１４に沿った変形を防止することができる。また、使用前は折畳み用折線１４に沿って折畳むことで、小型化することができ、流通又は保存に便利である。折畳み用折線１４は、例えば、ミシン目線、ハーフカット線、折罫線である。折畳み用折線１４の本数は、図６では１本である形態を示したがこれに限定されず、２本以上設けてもよい。折畳み用折線１４を２本以上設ける形態例は、互いに平行の折畳み用折線を２本以上設ける形態、互いに交差する折畳み用折線を２本設ける形態である。
【００３２】
容器本体用のブランクシート１１０は、図６に示すように、本体側面部１２と本体底面部１１との境界に本体底面部１１側に凸の切込部１１５を有することが好ましい。切込部１１５は、容器本体１０の組立時に、図１に示すように本体側面部１２を食品収容部１３側に起こすと、食品収容部１３とは反対側に突出して本体脚片１５を形成する。
【００３３】
蓋体２０は、図４に示すような、１枚のブランクシート１２０を組み立てて形成される。蓋体を形成するためのブランクシート１２０は、折畳み用折線２４を設けた１枚のシートからなり、天面部２１と、天面部２１の対向する周辺のうち少なくとも折畳み用折線２４が交差する２つの辺２１ｈに連接する蓋側面部２２（２２Ｈ）と、２つの蓋側面部２２（２２Ｈ）と天面部２１との境界にそれぞれ設けた天面部２１側に凸の切込部１２５とを有し、切込部１２５の凸深さはすべて同じである。
【００３４】
折畳み用折線２４は、少なくとも対向する一対の蓋側面部２２（２２Ｈ）及び本体底面部２１を横断して設けることが好ましい。図１に示すように、蓋側面部２２を天面部２１から起こすと、折畳み用折線２４が天面部２１と蓋側面部２２との境界部分で折れ曲がる。その結果、折畳み用折線２４に沿った変形を防止することができる。また、使用前は折畳み用折線２４に沿って折畳むことで、小型化することができ、流通又は保存に便利である。折畳み用折線２４は、例えば、ミシン目線、ハーフカット線、折罫線である。折畳み用折線２４の本数は、図４では１本である形態を示したがこれに限定されず、２本以上設けてもよい。折畳み用折線２４を２本以上設ける形態例は、互いに平行の折畳み用折線を２本以上設ける形態、互いに交差する折畳み用折線を２本設ける形態である。
【００３５】
切込部１２５は、蓋体２０の組立時に、図１に示すように蓋側面部２２を食品収容部１３側とは反対側に起こすと、食品収容部１３側に突出して蓋脚片２５を形成する。
【００３６】
蓋体を形成するためのブランクシート１２０は、図４に示すように、天面部２１のすべての周辺に蓋側面部２２を設け、隣り合う蓋側面部２２同士を係合する係合手段２７を有することが好ましい。係合手段２７は、容器本体を形成するためのブランクシート１１０で例示した形態と同様の形態とすることができる。すなわち、係合手段２７は、例えば、対向する一対の蓋側面部２２（２２Ｌ）に折罫線を介して連接した係合片２７ａと、残りの対向する一対の蓋側面部２２（２２Ｈ）に形成した係合片２７ａを係合する打抜孔２７ｂとを有する形態（図４に図示）、打抜孔２７ｂに替えて、係合片２７ａを差し込んで係合可能な切込み（不図示）を設ける形態である。
【００３７】
図７は、発熱体の層構成の一例を示す断面図である。発熱体１４０の一例としては、図７に示すように少なくともプラスチックフィルム層１４１と、金属蒸着層１４２と、剥離紙層１４３とを順に有する多層構造を備え、剥離紙層１４３を食品収容部１３側に向けて配置する。剥離紙層１４３が食品に接触した状態で調理されるため、食品の焦げ付きを防止することができる。
【００３８】
プラスチックフィルム層１４１に用いるプラスチックの種類は、例えば、ポリエチレンテレフタレート、ポリプロピレン、ポリメチルペンテン、ポリエーテルイミドである。フィルムは、未延伸フィルムであるか、又は延伸フィルムであってもよい。耐熱性の観点では、二軸延伸フィルムであることがより好ましい。プラスチックフィルム層１４１の厚さは、５〜５０μｍであることが好ましい。
【００３９】
金属蒸着層１４２に用いる金属の種類は、例えば、アルミニウム、ニッケル、金、銀、亜鉛、白金である。金属蒸着層１４２の厚さは、２〜１０ｎｍであることが好ましく、５〜１０ｎｍであることがより好ましい。金属蒸着層１４２は、マイクロ波の照射によって発熱する層である。金属蒸着層１４２の厚さが２ｎｍより薄い場合、発熱しないことがあり、金属蒸着層１４２の厚さが１０ｎｍより厚い場合、金属蒸着層１４２がスパークすることがある。金属蒸着層１４２は、プラスチックフィルム層１４１の少なくとも片面に、例えば真空蒸着法で設けることが好ましい。本発明は、蒸着方法に制限されない。発熱温度は、１７０℃以上２５０℃以下であることが好ましい。
【００４０】
剥離紙層１４３は、表面に剥離加工を施した紙である。剥離加工は、例えば、シリコーンの塗布層（不図示）の付与である。剥離紙層１４３の厚さは、１０〜１００μｍであることが好ましい。
【００４１】
発熱体１４０は、プラスチックフィルム層１４１、金属蒸着層１４２及び剥離紙層１４３以外のその他の層を設けてもよい。その他の層を設ける形態は、例えば、各層間に接着層を設ける形態、剥離紙層１４３とは反対側の表面に配置した層の表面に容器本体１０若しくは蓋体２０に接着するための接着層を設ける形態、剥離紙層１４３とは反対側の表面に基材として紙層を設ける形態である。接着層は、発熱体１４０の全面に設けるか、又は一部に設けてもよい。一部に設ける形態は、例えば、帯状に設ける形態である。
【００４２】
発熱体１４０は、図１に示すように容器本体１０又は蓋体２０とは別体のシートとし、当該シート状の発熱体４１，４２を貼着して設けるか、又は容器本体１０又は蓋体２０と一体として設けてもよい。
【００４３】
次に、図１、図３、図４及び図６を参照して、本実施形態に係る電子レンジ加熱調理用容器１の使用方法の一例を説明する。
【００４４】
電子レンジ加熱調理用容器１は、使用前には、容器本体及び蓋体は、図４及び図６に示すブランクシート１１０，１２０の折畳み用折線１４，２４に沿って折畳んだ状態（不図示）になっている。まず、折畳まれた容器本体用のブランクシート（不図示）を、図６に示すように広げる。次いで、本体側面部１２を、図１に示すように、発熱体４１を配置した側に起こす。このとき、切込部１１５が、食品収容部１３とは反対側に突出して本体脚片１５を形成する。そして、隣り合う本体側面部１２にそれぞれ設けた係合片１７ａを打抜孔１７ｂに係合する。これによって、容器本体１０が得られる。一方、折畳まれた蓋体用のブランクシート（不図示）を、図４に示すように広げる。次いで、蓋側面部２２を、図１に示すように、発熱体４２を配置した側とは反対側に起こす。このとき、切込部１２５が、食品収容部１３側に突出して蓋脚片２５を形成する。そして、隣り合う蓋側面部２２にそれぞれ設けた係合片２７ａを打抜孔２７ｂに係合する。これによって、蓋体２０が得られる。
【００４５】
図１に示すように容器本体１０の発熱体４１上に、食品３０を載せる。このとき、食品３０が複数個であるときは、適当な間隔で並べる。そして、蓋体２０を食品３０上に被せて、図３に示すようにすべての蓋脚片２５が本体底面部１１に到達するまで押す。このとき、食品３０は、容器本体１０の発熱体４１と蓋体２０の発熱体４２との間に挟持された状態になる。そうすると、食品３０の厚さを、蓋脚片２５の高さと同じとすることができ、その結果すべての食品３０を均一な厚さに成形することができる。この状態で、電子レンジを用いて所定の時間加熱する。また、加熱の際は、蓋体２０が電子レンジの底側を向くようにひっくり返して載置し、電子レンジを用いて所定の時間加熱してもよい。これによって、食品３０自体が加熱によって調理されるとともに、発熱体４１，４２が発熱して食品３０の両面に焦げ目が付く。なお、このとき発熱体４１，４２が接触する表面は、例えば２００℃まで昇温する。電子レンジ加熱調理用食品容器１は、複数回使用することができる。ここまで、使用方法の一例について説明してきたが、本発明はこれに限定されない。例えば、食品３０の厚さが薄い（例えば５ｍｍ以下）ときは、蓋体２０を使用しなくてもよい。
【実施例】
【００４６】
次に、本発明の実施例を挙げて説明するが、本発明はこれらの例に限定されるものではない。
【００４７】
（実施例１）
図４及び図６に示すブランクシート１１０，１２０を用いて、図１に示す容器本体１０及び蓋体２０を組み立てた。容器本体１０及び蓋体２０の材質は、紙（坪量３５０ｇ／ｍ２）とした。本体底面部１１の寸法を１８０ｍｍ角、本体側面部１２の高さを１８ｍｍ、本体脚片１５の高さを２ｍｍとした。また、天面部２１の寸法を１８０ｍｍ角、蓋側面部２２の高さを１８ｍｍ、蓋脚片２５の高さを８ｍｍとした。発熱体４１，４２は、いずれもプラスチックフィルム層としてポリエチレンテレフタレートフィルム（厚さ１２μｍ）と、金属蒸着層としてアルミ蒸着層と、剥離紙層としてシリコーンの塗布層を設けた紙（厚さ３５μｍ）とを順に積層した多層構造を備える、１７０ｍｍ角のシートを用い、剥離紙層を食品収容部１３側に向けて配置した。容器本体１０の発熱体４１の上に、食品３０をしてチョコチップクッキーの生地を８個配置した。そこへ、蓋体２０を被せて、すべての蓋脚片２５が本体底面板１１に到達するまで押し込んだ。次いで、電子レンジ（５００Ｗ）で２分４０秒加熱調理した。
【００４８】
（実施例２）
食品を、アーモンドキャラメルラスクの生地に変更し、電子レンジの加熱時間を２分間とした以外は、実施例１と同様にして調理した。
【００４９】
（実施例３）
食品を、スコーンの生地に変更し、電子レンジの加熱時間を４分間とした以外は、実施例１と同様にして調理した。
【００５０】
実施例１〜３は、いずれも食品（焼き菓子）を焼き上げることができた。また、複数個の焼き菓子を均一な厚さに仕上げることができた。さらに、各焼き菓子に発熱体を均一に接触させることができたため、すべての焼き菓子の両面に焦げ目をつけることができた。さらに、いずれも調理後、容器本体及び蓋が冷めても変形しなかった。
【符号の説明】
【００５１】
１  電子レンジ加熱調理用容器
１０  容器本体
１１  本体底面部
１２（１２Ｈ，１２Ｌ）  本体側面部
１２ａ  本体側面部の上端辺
１３  食品収容部
１４  折畳み用折線
１５  本体脚片
１６  係止部
１７  係合手段
１７ａ  係合片
１７ｂ  打抜孔
２０  蓋体
２１  天面部
２１ｈ  折畳み用折線が交差する辺
２２（２２Ｈ，２２Ｌ）  蓋側面部
２２ａ  蓋側面部の上端辺
２４  折畳み用折線
２５  蓋脚片
２７  係合手段
２７ａ  係合片
２７ｂ  打抜孔
３０  食品
３１  食品
３１ａ  串
４１，４２  発熱体
１１０  ブランクシート
１１５  切込部
１２０  ブランクシート
１２５  切込部
１４０  発熱体
１４１  プラスチックフィルム層
１４２  金属蒸着層
１４３  剥離紙層
【図１】
2014200481.tif 000003
【図２】
2014200481.tif 000004
【図３】
2014200481.tif 000005
【図４】
2014200481.tif 000006
【図５】
2014200481.tif 000007
【図６】
2014200481.tif 000008
【図７】
2014200481.tif 000009